(57)【要約】【課題】  閉鎖膜が撓まず、かつ穿孔に多大な押圧力を必要とせず、簡単に穿孔できる偏心針付きキャップを有する閉鎖膜チューブ容器【解決手段】  閉鎖膜を有するチューブ本体と、該チューブ本体の口部に螺合される針付きキャップとから成り、閉鎖膜に相対向する針付きキャップの周壁の天面に、針体が形成された針付きキャップを有する閉鎖膜付チューブ容器において、最初に閉鎖膜を突き破る部位が、閉鎖膜の中心から離れた部位になるように、針体の中心と針体の穿孔部との間に、一定の距離を有することを特徴とする偏心針付きキャップを有する閉鎖膜付チューブ容器。【選択図】  図２
2005350100.tif 000002
【特許請求の範囲】
【請求項１】
閉鎖膜を有するチューブ本体と、該チューブ本体の口部に螺合される針付きキャップとから成り、閉鎖膜に相対向する針付きキャップの周壁の天面に、針体が形成された針付きキャップを有する閉鎖膜付チューブ容器において、最初に閉鎖膜を突き破る部位が、閉鎖膜の中心から離れた部位になるように、針体の中心と針体の穿孔部との間に、一定の距離を有することを特徴とする偏心針付きキャップを有する閉鎖膜付チューブ容器。
【請求項２】
前記針体が、尖端部、下端部及びこれらを連結する尾根部から構成され、該尾根部と直角方向左右に、各々傾斜面が形成されたことを特徴とする請求項１記載の偏心針付きキャップを有する閉鎖膜付チューブ容器。
【発明の詳細な説明】
【技術分野】
【０００１】
本発明は、偏心針付きキャップに関し、さらに詳しくは、キャップの操作のみで閉鎖膜を開孔することができる、偏心針付きキャップを有する閉鎖膜付チューブ容器に関する。
【背景技術】
【０００２】
従来の一般的針付きキャップを有する閉鎖膜付チューブ容器としては、図８に示すようなものがある。図中、５０はチューブ本体であり、チューブ本体５０の口部５１には閉鎖膜５２が形成されている。そして、口部５１に螺合するキャップ５３の雌ネジ部と、天面５４を介して反対側に凹所５５が形成され、この凹所５５の中央部に針体５６が形成されている。この針体５６で閉鎖膜５２を突き刺して破ることにより、チューブ本体５０の口部５１は開孔され、内容物の抽出が可能となる（特許文献１参照）。しかし、このように、閉鎖膜５２の中心を穿孔する場合、閉鎖膜５２の基部から離れた閉鎖膜５２の中心部を、針体５６の押圧力で押圧するため、閉鎖膜５２が下方に押されて撓むことにより（図８記載の撓みδ）、穿孔し難いという欠点があった。
【０００３】
そこで、従来は、閉鎖膜の中心から、一定の距離を有する部位を穿孔する偏心針付きキャップを有する閉鎖膜付きチューブ容器が案出された。このような偏心針付きキャップを有する閉鎖膜としては、図９〜図１１に示すようなものがある。図中、６０はチューブ本体であり、チューブ本体６０の口部６１には、閉鎖膜６２が形成されている。そして、口部６１に螺合するキャップ６３の雌ネジ部と天面６４を介して、反対側に凹所６５が形成され、この凹所６５の中央部に針体６６が形成されている。この針体６６で閉鎖膜６２を突き刺して破ることにより、チューブ本体６０の口部６１は開孔され、内容物の抽出が可能となる。そして、この針体６６の特徴は、図１０に示すように、単に斜めに切断されているため、尖端部６６ａから下端部６６ｂまで平面状を呈している点にある（特許文献２参照）。
【特許文献１】特開平１０−１３９０５９号
【特許文献２】実公平４−１５６６８号
【発明の開示】
【発明が解決しようとする課題】
【０００４】
しかし、従来の偏心針付きキャップにおいては、針体６６が斜めに切断され、尖端部から下端部まで平面状を呈しているので、閉鎖膜６２を突き刺して穿孔した場合、切断の軌跡は図１１に示すようになる。すなわち、最初に閉鎖膜６２の中心からずれた部位の基部Ｘの部位が、針体６６の尖端部で穿孔され、次ぎに除々に矢印に示すように、基部を丸い円弧を描くように閉鎖膜６２が切断される。しかし、閉鎖膜６２の基部の肉厚は通常、閉鎖膜の中心部の肉厚より、２０〜８０％程度厚く形成されているので、穿孔するために多大な押圧力を必要とする欠点がある。したがって、子供、老人にとっては、簡単に穿孔できないという欠点があった。
【０００５】
本発明は、このような問題に着目してなされたものであり、閉鎖膜穿孔する場合、子供、老人が、穿孔するために多大な押圧力を必要としないで、簡単に穿孔できる偏心キャップ付き閉鎖膜チューブ容器を提供することを目的とする。
【課題を解決するための手段】
【０００６】
請求項１記載の発明の手段は、閉鎖膜を有するチューブ本体と、チューブ本体の口部に螺合される針付きキャップとから成り、閉鎖膜に相対向する針付きキャップの周壁の天面に、針体が形成された針付きキャップを有する閉鎖膜付チューブ容器において、最初に閉鎖膜を突き破る部位が、閉鎖膜の中心から離れた部位になるように、針体の中心と針体の穿孔部との間に、一定の距離を有することを特徴とする偏心針付きキャップを有する閉鎖膜付チューブ容器である。閉鎖膜の中心から離れた閉鎖膜の基部を、針体で穿孔するため、閉鎖膜が下方に撓まないので容易に穿孔できる。
【０００７】
請求項２記載の発明の手段は、針体が、尖端部、下端部及びこれらを連結する尾根部から構成され、尾根部と直角方向左右に、各々傾斜面が形成されたことを特徴とする偏心針付きキャップを有する閉鎖膜付チューブ容器である。穿孔の切断の軌跡は、最初に針体の尖端部で閉鎖膜の基部が穿孔され、次ぎに針体の尾根部に沿って、閉鎖膜の中心に向かって切断され、閉鎖膜の薄肉部が直線的に切断される。したがって、切断に多大な力を必要とせず簡単に切断できる。
【発明の効果】
【０００８】
この発明によれば、穿孔の際に閉鎖膜が撓まず、かつ穿孔に必要な押圧力が小さくて済むので、子供、老人が簡単に穿孔できる効果を有する。
【発明を実施するための最良の形態】
【０００９】
以下、本発明の実施例を図面に基づいて説明する。
【実施例１】
【００１０】
図１、図２及び図４は、本発明の実施例１を示すものであり、図１は開封前の通常販売
されている状態を示す断図面である。チューブ本体１及び閉鎖膜２は、アルミ等の金属材料又はポリエチレン等の合成樹脂材料で造られている。又針付きキャップ３は、ポリエチレン等の合成樹脂で造られている。この実施例１は、針付きキャップ３の周壁４の内周面に形成された天面６には、チューブ本体１の口部７に形成された閉鎖膜２に相対向して針体８が形成されている。そして、図２に示すように、閉鎖膜２の中心２ａと穿孔部２ｂの間の距離はＬに形成され、穿孔部２ｂは針体８の中心から偏心している。すなわち、図４に示すように、針体８は最初に穿孔する針体８の尖端部８ａが、片側に偏って形成されている。この針体８は、尖端部８ａから下端部８ｂまで、傾斜した直線状の尾根部８ｃが形成されている。この傾きαは、１５〜３０度であり２０度が最も適する。又尾根部８ｃと直角方向左右には、傾斜面９が形成されている。尾根部８ｃと傾斜面９とのなす角度θは、６０〜９０度であり７５度が最も適する（図４（ｂ）参照）。
【００１１】
次ぎに、図７（ａ）は、この針体８で穿孔した閉鎖膜２について、切断の軌跡１０を表した平面図である。まず針体８の尖端部８ａで、閉鎖膜２の穿孔部２ｂであるＹの部位を最初に穿孔し、次ぎに針体８の尾根部８ｃに沿って、閉鎖膜２は中心２ａに向かって切断される。そして、中心２ａを超えた部位まで切断され開孔される。最初に穿孔される穿孔部２ｂは、閉鎖膜２の肉厚の厚い部位であるが、除々に肉厚が薄い中心２ａに向かって直線的に切断されるので、切断に多大な力を必要とせず簡単に切断される。
【実施例２】
【００１２】
図３は、本発明の実施例２を示すものであり、実施例１と相違する点は針体１８の形状である。その他の構成は実施例１と同様である。すなわち、図５に示すように、針体１８は、最初に穿孔する針体１８の尖端部１８ａが、閉鎖膜１２の中心１２ａより若干片側に偏って形成されている。すなわち、図３に示すように、閉鎖膜１２の中心１２ａと穿孔部１２ｂの間の距離はＳに形成されている。針体１８は、図５に示すように、尖端部１８ａを頂点として山形状を呈しており、両側の下端部１８ｂまで、２本の直線状の尾根部１８ｃが形成されている。そして、この尾根部１８ｃと直角方向左右には、各々傾斜面１９が形成されている。
【００１３】
次ぎに、図７（ｂ）は、この針体１８で穿孔した閉鎖膜１２について、切断の軌跡２０を表した平面図である。まず針体１８の尖端部１８ａで、閉鎖膜１２の穿孔部１２ｂであるＺの部位を最初に穿孔し、次ぎに針体１８の尾根部１８ｃに沿って、閉鎖膜１２は中心１２ａ及び中心１２ａと反対方向に向かって直線状に切断される。すなわち、中心２ａを若干超えた部位までと、反対方向の基部近傍まで切断される。したがって、切断に多大な力を必要とせず簡単に切断できる。なお、尾根部１８ｃと傾斜面１９のなす角度θは、６０〜９０度であり７５度が最も適する（図５（ｂ）参照）。
【実施例３】
【００１４】
図６は、本発明の実施例３を示すものであり、実施例１と同様に傾斜しており、尖端部２８ａから下端部２８ｂまで、直線状の尾根部２８ｃが形成されている。この尾根部２８ｃと垂直左右方向には、各々傾斜面２９が形成されている。この実施例３の特徴は、針体２８の中心線に対して、左右対称に設けられ断面がＭ形状を呈している。その他の構成は、実施例１及び実施例２と同様である。図７（ｃ）は、この針体２８で穿孔した閉鎖膜２２について、切断の軌跡３０を表した平面図である。まず針体２８の尖端部２８ａで、閉鎖膜２２の穿孔部２２ｂであるＷの部位を最初に穿孔し、次ぎに針体２８の尾根部２８ｃに沿って、閉鎖膜２２は２２ａまで切断される。最初に穿孔される穿孔部２２ｂは、閉鎖膜２２の肉厚の厚い基部であるが、除々に肉厚が薄い中心に向かって、直線的に切断されるので、切断に多大な力を必要とせず簡単に切断される。なお、尾根部２８ｃと傾斜面２９のなす角度θは、６０〜９０度であり７５度が最も適する（図６（ｂ）参照）。
【図面の簡単な説明】
【００１５】
【図１】本発明の実施例１を示す断面図。
【図２】本発明の実施例１を示す断面図。
【図３】本発明の実施例２を示す断面図。
【図４】本発明の実施例１の針体を示す図面（ａ）（ｂ）。
【図５】本発明の実施例２の針体を示す図面（ａ）（ｂ）。
【図６】本発明の実施例３の針体を示す図面（ａ）（ｂ）。
【図７】本発明の実施例１〜３の各々の閉鎖膜の切断の軌跡を示す平面断面図。
【図８】従来の針付キャップと閉鎖膜付きチューブ容器を示す断面図である。
【図９】従来の針付キャップと閉鎖膜付きチューブ容器を示す断面図である。
【図１０】従来の針付キャップの針体の形状を示す斜視図である。
【図１１】従来の針体で穿孔した場合の閉鎖膜の切断の軌跡を示す平面断面図。
【符号の説明】
【００１６】
チューブ本体１  １１
閉鎖膜２  １２  ２２
中心２ａ  １２ａ
穿孔部２ｂ
針付きキャップ３  １３
周壁４  １４  ２４
天面６  １６
口部７  １７
針体８  １８  ２８
尖端部８ａ  １８ａ  ２８ａ
下端部８ｂ  １８ｂ  ２８ｂ
尾根部８ｃ  １８ｃ  ２８ｃ
傾斜面９  １９  ２９
距離Ｌ  Ｓ
【図１】
2005350100.tif 000003
【図２】
2005350100.tif 000004
【図３】
2005350100.tif 000005
【図４】
2005350100.tif 000006
【図５】
2005350100.tif 000007
【図６】
2005350100.tif 000008
【図７】
2005350100.tif 000009
【図８】
2005350100.tif 000010
【図９】
2005350100.tif 000011
【図１０】
2005350100.tif 000012
【図１１】
2005350100.tif 000013